(57)【要約】      （修正有）【課題】一時的に物品を配置し、夜間照明に用い各電気製品を充電できる多機能スーツケースを提供する。【解決手段】多機能スーツケースは、筐体及び取っ手８を含み、取っ手は、筐体背面に設けられ、筐体底端に車輪４が設けられる。筐体正面に、折り畳み式セーフティデスク２及びコンセント３が設けられ、筐体底端内部に給電装置が設けられる。多機能スーツケースに設けられた折り畳み式セーフティデスクは、一時的にコップ、パソコンなどの常用物品を配置できる。取っ手に設けられたＬＥＤライトにより、容易に夜間照明ができる。また、生成された電流を給電装置に蓄電でき、夜間照明及び各電気装置の充電などに用いる。さらに、複数種の差し込み口のコンセントを設け、各種プラグの電気装置が使用できる。【選択図】図２
0003189563.tif 000002
【実用新案登録請求の範囲】
【請求項１】
筐体（１）及び取っ手（８）を含み、
前記取っ手は前記筐体の背面に設けられ、前記筐体底端に車輪（４）を設け、
そのうち、前記筐体正面に折り畳み式セーフティデスク（２）及びコンセント（３）を設け、筐体底端内部に給電装置を設けることを特徴とする多機能スーツケース。
【請求項２】
前記車輪（４）は、発電機又は直流モーター動力輪であることを特徴とする請求項１記載の多機能スーツケース。
【請求項３】
前記セーフティデスク（２）は、筐体正面上端に設けられ、コンセント（３）は、筐体正面下端に設けられることを特徴とする請求項２記載の多機能スーツケース。
【請求項４】
前記セーフティデスク（２）と筐体（１）はピン継手により接続されることを特徴とする請求項３記載の多機能スーツケース。
【請求項５】
前記コンセント（３）は、二孔差し込み口（１１）、５孔差し込み口（１２）、ＵＳＢポート（１３）及びＡＣプラグ（１４）を設けることを特徴とする請求項４記載の多機能スーツケース。
【請求項６】
前記取っ手（８）にLEDライト（６）及びスイッチ（５）を設け、スイッチによりLEDライトを制御することを特徴とする請求項１記載の多機能スーツケース。
【考案の詳細な説明】
【技術分野】
【０００１】
本考案は、日常用品に関し、特に、多機能スーツケースに関する。
【背景技術】
【０００２】
スーツケースは、箱の一種であり、便利であるために、幅広く受け入れられており、主に旅行へ出かけるときに用いられ、手回り品を携帯する目的を達成する。このため、スーツケースは旅行に不可欠な必需品である。しかし、従来のスーツケースは、物品を載せるだけという機能が単一である欠点が存在し、多機能家具を追及するという現代人を満足させることができない。特に、旅行者はキャンプにおいて、物品を配置しづらく、携帯電話など充電が必要な電気製品の充電ができない、夜間ライトが足りない等、いずれもキャンプ生活にとって迅速に解決する必要がある問題となった。
【０００３】
従って、一時的に物品を配置し、携帯電話に充電し、夜間照明ができる多機能なスーツケースがあれば、場所をとらないばかりか、多機能家具を追及するという現代人も満足させることができる。
【考案の概要】
【考案が解決しようとする課題】
【０００４】
本考案の目的は、多機能スーツケースを提供することであり、前記スーツケースは、一時的に物品を配置し、夜間照明に用い、各電気製品を充電でき、スーツケースとしての機能を十分に発揮できる。
【課題を解決するための手段】
【０００５】
従来の技術課題を解決するために、本考案は以下のような技術により実現する。
【０００６】
スーツケースは、筐体と取っ手を含み、取っ手は筐体の背面に設けられ、筐体の底端に車輪が設けられる。前記筐体の正面に折り畳み式のセーフティデスク及びコンセントが設けられる。筐体の底端の内部に給電装置が設けられる。
【０００７】
前記車輪は発電車輪又は直流モータ動力輪である。
【０００８】
前記セーフティデスクは、筐体の正面上端に設けられ、コンセントは筐体正面下端に設けられる。
【０００９】
前記セーフティデスクと筐体はピン継ぎ手により接続される。
【００１０】
前記コンセントは、二孔差し込み口、５（２＋３）孔差し込み口、USBポート及びACプラグを設ける。
【００１１】
前記取っ手にLEDライト及びスイッチを設け、スイッチによりLEDライトを制御する。
【考案の効果】
【００１２】
本考案の多機能スーツケースに設けられた折り畳み式セーフティデスクに、一時的に、コップ、パソコンなどの常用物品のような物を配置でき、取っ手に設けられたLEDライトにより夜間照明が簡単に行える。本考案の多機能スーツケースは、車輪の回動により電流を生成し、生成した電流を給電装置に蓄電し、夜間照明及び各電気装置への充電などに用いる。前記多機能スーツケースに複数種の差し込み口のコンセントを設け、各種プラグの電気装置に使用することができる。
【考案を実施するための形態】
【００１３】
当業者が理解しやすいように、以下において、図面及び実施例を合わせて本考案について更に説明する。
【実施例】
【００１４】
多機能スーツケースは、筐体１と取っ手８を含み、取っ手は筐体の背面に設けられ、筐体の底端に車輪４が設けられる。前記車輪は発電車輪又は直流モータ動力輪である。前記筐体の正面の頂端近傍位置に折り畳み式のセーフティデスク２が設けられ、前記セーフティデスクと筐体はピン継ぎ手により接続される。セーフティデスクは一時的にコップやパソコンなどの常用物品を配置できる。筐体正面の底端近傍位置にコンセント３が設けられ、コンセントに２孔差し込み口１１、５（２＋３）孔差し込み口１２、USBポート１３及びACプラグ１４を設ける。この他、コンセントに、更に、各差込み口の通電を制御する制御スイッチ１５を設ける。前記コンセントは、各種類のプラグの電気装置が使用でき、コンセントの外部にカバーが更に設けられ、カバーはファスナー７により筐体正面に接続され、カバーの設置によりスーツケースの美化が図れるとともに、粉塵などの汚染を防止できる。筐体の底端の内部に給電装置が設けられ、車輪が配線により給電装置に接続され、車輪の回動により生成される電流を給電装置に蓄電して、夜間照明及び各電気装置の充電などに用いる。前記給電装置は、充電池からなる充電放電できる装置のような従来技術である。前記取っ手にLEDライト６及びスイッチ５を設け、スイッチによりLEDライトを制御する。
【００１５】
本考案の多機能スーツケースの車輪は発電車輪又は直流モータ動力輪であり、発電車輪及び直流モータ動力輪はいずれも市販されており、筐体が引っ張られると、車輪の回動により電流を生成して、電流を充電池に蓄電し、電気装置を使用するとき、電気装置は２孔差し込み口、５孔差し込み口、ＵＳＢポート及びＡＣプラグのコンセントに接続することにより電源が得られる。本考案の多機能スーツケースの筐体正面の頂端近傍位置に折り畳み式セーフティデスクが設けられ、セーフティデスク２は、筐体とピン継ぎ手により接続され、回転角度は０〜１００°の間であり、一時的に物品を配置するとき、ファスナーを開けてセーフティデスクの筐体頂端に近い側を筐体から離れる位置に回動させ、セーフティデスクのもう一端は筐体とヒンジ回動し、９０〜１００°まで回転したとき回動を停止することにより、使用できる。
【００１６】
上記実施例における内容は、本考案を制限するものではなく、本考案の本質から逸脱しなければ、如何なる自明な置換は、いずれも本考案の保護範囲内である。
【符号の説明】
【００１７】
１  筐体
２  セーフティデスク
３  コンセント
４  車輪
５  スイッチ
６  LEDライト
７  ファスナー
８  取っ手
１１  ２孔差し込み口
１２  ５孔差し込み口
１３  ＵＳＢポート
１４  ＡＣプラグ
１５  制御スイッチ
【図面の簡単な説明】
【００１８】
【図１】本考案の筐体の立体構造図である。
【図２】本考案の筐体使用状態の立体構造図である。
【図３】本考案のコンセントの構造図である。
【図１】
0003189563.tif 000003
【図２】
0003189563.tif 000004
【図３】
0003189563.tif 000005